(57)【要約】【課題】供給動作に要する時間を低減し、スループットを向上させる。【解決手段】制御部は、リトライ処理（１の用紙について給紙動作が失敗した場合に再度給紙動作を行わせる処理）を設定されたリトライ回数Ｎ行っても給紙動作が成功しない場合、収容部内に用紙無し情報を記憶部に記憶させ、給紙動作が成功した場合、収容部内に用紙有り情報を記憶部に記憶させる。また、プリンタは、収容部の開閉を検出できない検出不可状態を取り得る。制御部は、プリンタが検出不可状態から復帰した場合（Ｓ５３：ＹＥＳ）、Ｎを一律に「２」に設定するのではなく、記憶部に記憶された情報に基づいて収容部内に用紙が有ると判断した場合（Ｓ５５：ＮＯ，Ｓ５８：ＮＯ）、Ｎを「２」に設定し（Ｓ５２）、収容部内に用紙が無いと判断した場合（Ｓ５５：ＹＥＳ，Ｓ５８：ＹＥＳ）、Ｎを「１又は０」に設定する（Ｓ５７，Ｓ６０）。【選択図】図５
2015193471.tif 000002
【特許請求の範囲】
【請求項１】
記録媒体に対して記録を行うように構成された、記録部と、
前記記録部を収容するように構成された、筐体と、
前記筐体に開閉可能に支持されると共に、前記記録部によって記録が行われる記録媒体を収容するように構成された、収容部と、
前記収容部の開閉を示す信号を出力するように構成された、開閉センサと、
前記収容部内の記録媒体を前記記録部に供給する供給動作を行うように構成された、供給部と、
前記収容部内の記録媒体の有無を示す情報を記憶する、記憶部と、
制御部と、
を備え、
前記開閉センサに電力が供給されることにより前記収容部の開閉を検出できる検出可能状態と、前記開閉センサに電力が供給されないことにより前記収容部の開閉を検出できない検出不可状態と、を取り得るように構成されており、
前記制御部は、
前記供給部を制御して、１の記録媒体について前記供給動作が失敗した場合に再度前記供給動作を行わせる、リトライ処理を行い、
前記リトライ処理を設定されたリトライ回数行っても前記供給動作が成功しない場合、前記収容部内に記録媒体が無いことを示す情報を前記記憶部に記憶させ、
前記供給動作が成功した場合、前記収容部内に記録媒体が有ることを示す情報を前記記憶部に記憶させ、
前記記録装置が前記検出不可状態から前記検出可能状態に復帰した場合に、前記記憶部に記憶された前記情報に基づいて前記収容部内の記録媒体の有無を判断する、第１判断処理を行い、
前記第１判断処理において前記収容部内に記録媒体が有ると判断した場合は、前記リトライ回数を前記記録装置が前記検出不可状態になる前に設定された所定回数に設定し、
前記第１判断処理において前記収容部内に記録媒体が無いと判断した場合は、前記リトライ回数を前記所定回数よりも少ない回数に設定することを特徴とする、記録装置。
【請求項２】
前記収容部から前記記録部への記録媒体の供給経路において、記録媒体の有無を示す信号を出力するように構成された、記録媒体センサを備え、
前記情報は、前記記録媒体センサから出力された前記信号に基づくものであることを特徴とする、請求項１に記載の記録装置。
【請求項３】
前記制御部は、
前記供給動作を開始してから第１所定時間内に記録媒体が有ることを示す信号を前記記録媒体センサが出力しない場合に、前記供給動作が失敗したと判断し、
前記供給動作を開始してから前記第１所定時間内に記録媒体が有ることを示す信号を前記記録媒体センサが出力した場合に、前記供給動作が成功したと判断することを特徴とする、請求項２に記載の記録装置。
【請求項４】
前記制御部は、
前記リトライ処理を設定されたリトライ回数行っても前記供給動作が成功しない場合、前記収容部内に記録媒体が無いことを示す情報と共に、前記成功しないと判断した時点を、前記記憶部に記憶させ、
前記第１判断処理において前記収容部内に記録媒体が無いと判断した場合に、前記記憶部に記憶された前記時点から第２所定時間が経過したかを判断する、第２判断処理を行い、
前記第２判断処理において前記第２所定時間が経過したと判断した場合は、前記リトライ回数を前記所定回数に設定し、
前記第２判断処理において前記第２所定時間が経過していないと判断した場合は、前記リトライ回数を前記所定回数よりも少ない回数に設定することを特徴とする、請求項１〜３のいずれか一項に記載の記録装置。
【請求項５】
前記検出不可状態は、前記記録装置の電源がＯＦＦの状態である電源ＯＦＦ状態を含み、
前記記憶部は、不揮発性メモリであることを特徴とする、請求項１〜４のいずれか一項に記載の記録装置。
【請求項６】
前記検出不可状態は、通常モードよりも電力消費量が少ない省電力モードの状態である省電力モード状態をさらに含み、
前記制御部は、前記記録装置が前記省電力モード状態から復帰した後に前記収容部内に記録媒体が無いと判断した場合、前記記録装置が前記電源ＯＦＦ状態から復帰した後に前記収容部内に記録媒体が無いと判断した場合よりも、前記リトライ回数を少ない回数に設定することを特徴とする、請求項５に記載の記録装置。
【請求項７】
前記検出不可状態は、前記記憶部への電力供給を維持しつつ通常モードよりも電力消費量が少ない特定省電力モードの状態である特定省電力モード状態を含み、
前記記憶部は、揮発性メモリであることを特徴とする、請求項１〜４のいずれか一項に記載の記録装置。
【請求項８】
複数の前記収容部と、
前記複数の収容部のそれぞれに対して設けられた、複数の前記開閉センサと、
を備え、
前記供給部は、前記複数の収容部のそれぞれについて前記供給動作を行うように構成されており、
前記記憶部は、前記複数の収容部のそれぞれにおける記録媒体の有無を示す情報を記憶し、
前記制御部は、前記複数の収容部のうちの第１収容部について、前記リトライ処理を設定されたリトライ回数行っても前記供給動作が成功しない場合に、前記第１収容部内に記録媒体が無いことを示す情報を前記記憶部に記憶させた後、前記供給部を制御して、前記複数の収容部のうちの前記第１収容部とは別の第２収容部についての前記供給動作を行わせることを特徴とする、請求項１〜７のいずれか一項に記載の記録装置。
【請求項９】
前記制御部は、前記記録装置が前記検出不可状態を経由していない場合において、前記記憶部に記憶された前記情報に基づいて前記収容部内に記録媒体が無いと判断したときは、前記供給動作を行わせずに、前記収容部に記録媒体を補充することを示す信号を出力する出力処理を行うことを特徴とする、請求項１〜８のいずれか一項に記載の記録装置。
【請求項１０】
前記制御部は、前記開閉センサから出力された前記信号に基づいて前記収容部の開閉を検出した場合、前記収容部内に記録媒体が有ることを示す情報を前記記憶部に記憶させることを特徴とする、請求項１〜９のいずれか一項に記載の記録装置。
【発明の詳細な説明】
【技術分野】
【０００１】
本発明は、筐体に開閉可能に支持された収容部を有する記録装置に関する。
【背景技術】
【０００２】
筐体に開閉可能に支持された収容部を有する記録装置が知られている。例えば、特許文献１に、本体１１に開閉可能に支持されたカセット５０を有する複写機１０が開示されている。特許文献１では、１つの検知センサ１００によってカセット５０の開閉とカセット５０内の記録媒体の有無との両方を検知することが提案されている。
【先行技術文献】
【特許文献】
【０００３】
【特許文献１】特開２００２−３２６７２７号公報
【発明の概要】
【発明が解決しようとする課題】
【０００４】
特許文献１において、制御部は、収容部内の記録媒体の有無を収容部に設けられたセンサからの信号に基づいて判断し、収容部内に記録媒体が有ると判断した後に、収容部内の記録媒体を記録部に供給する供給動作を行う。この場合、供給動作に時間がかかり、スループットの低下につながってしまう。
【０００５】
本発明の目的は、供給動作に要する時間を低減し、スループットを向上させることができる、記録装置を提供することにある。
【課題を解決するための手段】
【０００６】
本発明に係る記録装置は、記録媒体に対して記録を行うように構成された、記録部と、前記記録部を収容するように構成された、筐体と、前記筐体に開閉可能に支持されると共に、前記記録部によって記録が行われる記録媒体を収容するように構成された、収容部と、前記収容部の開閉を示す信号を出力するように構成された、開閉センサと、前記収容部内の記録媒体を前記記録部に供給する供給動作を行うように構成された、供給部と、前記収容部内の記録媒体の有無を示す情報を記憶する、記憶部と、制御部と、を備え、前記開閉センサに電力が供給されることにより前記収容部の開閉を検出できる検出可能状態と、前記開閉センサに電力が供給されないことにより前記収容部の開閉を検出できない検出不可状態と、を取り得るように構成されており、前記制御部は、前記供給部を制御して、１の記録媒体について前記供給動作が失敗した場合に再度前記供給動作を行わせる、リトライ処理を行い、前記リトライ処理を設定されたリトライ回数行っても前記供給動作が成功しない場合、前記収容部内に記録媒体が無いことを示す情報を前記記憶部に記憶させ、前記供給動作が成功した場合、前記収容部内に記録媒体が有ることを示す情報を前記記憶部に記憶させ、前記記録装置が前記検出不可状態から前記検出可能状態に復帰した場合に、前記記憶部に記憶された前記情報に基づいて前記収容部内の記録媒体の有無を判断する、第１判断処理を行い、前記第１判断処理において前記収容部内に記録媒体が有ると判断した場合は、前記リトライ回数を前記記録装置が前記検出不可状態になる前に設定された所定回数に設定し、前記第１判断処理において前記収容部内に記録媒体が無いと判断した場合は、前記リトライ回数を前記所定回数よりも少ない回数に設定することを特徴とする。
【０００７】
本発明によれば、制御部は、収容部内の記録媒体の有無を収容部に設けられたセンサからの信号に基づいて判断し、収容部内に記録媒体が有ると判断した後に供給動作を行う、という処理を行うのではなく、リトライ処理（１の記録媒体について供給動作が失敗した場合に再度供給動作を行わせる処理）を設定されたリトライ回数行っても供給動作が成功しない場合、収容部内に記録媒体が無いことを示す情報を記憶部に記憶させ、供給動作が成功した場合、収容部内に記録媒体が有ることを示す情報を記憶部に記憶させる。これにより、収容部に設けられたセンサからの信号に基づく判断処理に要する時間を省略できるため、スループットを向上させることができる。
【０００８】
また、本発明に係る記録装置は、検出可能状態と検出不可状態とを取り得る。検出不可状態では、収容部の開閉を検出することができず、検出不可状態の間に、ユーザが収容部に記録媒体を補充することも考えられる。記憶部が揮発性メモリの場合、検出不可状態になると、記憶部に記憶された情報が消去されてしまう。そのため、記録装置が検出不可状態から検出可能状態に復帰した場合は、記憶部の情報によらず、リトライ回数を一律に所定回数（検出不可状態になる前に設定された回数）に設定することが考えられる。しかしながら、この場合、収容部内に記録媒体が無い可能性が高い場合にも、リトライ処理が所定回数行われることになるため、時間を要し、スループットの低下につながってしまう。そこで、上記構成では、記録装置が検出不可状態から検出可能状態に復帰した場合に、リトライ回数を一律に所定回数に設定するのではなく、記憶部に記憶された情報に基づいて収容部内に記録媒体が無いと判断したときは、リトライ回数を所定回数よりも少ない回数に設定する。これにより、供給動作に要する時間を低減し、スループットを向上させることができる。
【０００９】
本発明に係る記録装置は、前記収容部から前記記録部への記録媒体の供給経路において、記録媒体の有無を示す信号を出力するように構成された、記録媒体センサを備え、前記情報は、前記記録媒体センサから出力された前記信号に基づくものであってよい。当該記録媒体センサは、記録タイミングの制御にも用いることができる。そのため、上記構成によれば、記録媒体の有無を検知するためのセンサと、記録タイミングの制御に用いるセンサとを、別々に設ける必要がなく、部品点数を低減することができる。
【００１０】
前記制御部は、前記供給動作を開始してから第１所定時間内に記録媒体が有ることを示す信号を前記記録媒体センサが出力しない場合に、前記供給動作が失敗したと判断し、前記供給動作を開始してから前記第１所定時間内に記録媒体が有ることを示す信号を前記記録媒体センサが出力した場合に、前記供給動作が成功したと判断してよい。当該構成によれば、上記記録媒体センサを用いて供給動作の失敗及び成功を適切に判断することができる。
【００１１】
前記制御部は、前記リトライ処理を設定されたリトライ回数行っても前記供給動作が成功しない場合、前記収容部内に記録媒体が無いことを示す情報と共に、前記成功しないと判断した時点を、前記記憶部に記憶させ、前記第１判断処理において前記収容部内に記録媒体が無いと判断した場合に、前記記憶部に記憶された前記時点から第２所定時間が経過したかを判断する、第２判断処理を行い、前記第２判断処理において前記第２所定時間が経過したと判断した場合は、前記リトライ回数を前記所定回数に設定し、前記第２判断処理において前記第２所定時間が経過していないと判断した場合は、前記リトライ回数を前記所定回数よりも少ない回数に設定してよい。時間の経過に伴い、ユーザが収容部に記録媒体を補充する可能性が高まる。上記構成は、この傾向に鑑みたものであり、収容部内に記録媒体が有る可能性が高い場合（第２所定時間が経過した場合）はリトライ回数を所定回数に設定する一方、収容部内に記録媒体が無い可能性が高い場合（第２所定時間が経過していない場合）はリトライ回数を比較的少なく設定することで、スループットの向上と、適切な供給動作とを、共に実現することができる。
【００１２】
前記検出不可状態は、前記記録装置の電源がＯＦＦの状態である電源ＯＦＦ状態を含み、前記記憶部は、不揮発性メモリであってよい。記憶部が不揮発性メモリの場合、電源ＯＦＦ状態になっても、記憶部の情報が保持される。したがって、上記構成によれば、電源ＯＦＦ状態から復帰した場合にも、本発明による効果を確実に得ることができる。
【００１３】
前記検出不可状態は、通常モードよりも電力消費量が少ない省電力モードの状態である省電力モード状態をさらに含み、前記制御部は、前記記録装置が前記省電力モード状態から復帰した後に前記収容部内に記録媒体が無いと判断した場合、前記記録装置が前記電源ＯＦＦ状態から復帰した後に前記収容部内に記録媒体が無いと判断した場合よりも、前記リトライ回数を少ない回数に設定してよい。省電力モード状態は、電源ＯＦＦ状態よりも、短い時間維持されると考えられる。時間が短いと、ユーザが収容部に記録媒体を補充する可能性が低い。上記構成は、この傾向に鑑みたものであり、収容部内に記録媒体が無い可能性が高い場合（記録装置が省電力モード状態から復帰した場合）に、収容部内に記録媒体が無い可能性が比較的低い場合（記録装置が電源ＯＦＦ状態から復帰した場合）よりも、リトライ回数を少なく設定することで、スループットをより一層向上させることができる。
【００１４】
前記検出不可状態は、前記記憶部への電力供給を維持しつつ通常モードよりも電力消費量が少ない特定省電力モードの状態である特定省電力モード状態を含み、前記記憶部は、揮発性メモリであってよい。記憶部が揮発性メモリの場合でも、上記のように記憶部への電力供給が維持される特定省電力モードでは、記憶部の情報が保持される。したがって、上記構成によれば、記録装置が特定省電力モード状態から復帰した場合に、本発明による効果を確実に得ることができる。
【００１５】
本発明に係る記録装置は、複数の前記収容部と、前記複数の収容部のそれぞれに対して設けられた、複数の前記開閉センサと、を備え、前記供給部は、前記複数の収容部のそれぞれについて前記供給動作を行うように構成されており、前記記憶部は、前記複数の収容部のそれぞれにおける記録媒体の有無を示す情報を記憶し、前記制御部は、前記複数の収容部のうちの第１収容部について、前記リトライ処理を設定されたリトライ回数行っても前記供給動作が成功しない場合に、前記第１収容部内に記録媒体が無いことを示す情報を前記記憶部に記憶させた後、前記供給部を制御して、前記複数の収容部のうち前記第１収容部とは別の第２収容部についての前記供給動作を行わせてよい。複数の収容部が設けられた構成において、記録装置が検出不可状態から復帰した場合に、リトライ回数を一律に所定回数に設定すると、スループットの低下が顕著である。上記構成によれば、本発明によるスループット向上の効果をより確実に得ることができる。
【００１６】
前記制御部は、前記記録装置が前記検出不可状態を経由していない場合において、前記記憶部に記憶された前記情報に基づいて前記収容部内に記録媒体が無いと判断したときは、前記供給動作を行わせずに、前記収容部に記録媒体を補充することを示す信号を出力する出力処理を行ってよい。記録装置が検出不可状態を経由していない場合は、記憶部の情報の信頼性が高い。そこで、記録媒体が無いという情報が記憶部に記憶されているときは、供給動作を行わせずに、出力処理を行うことで、供給動作に要する時間を省略し、全体としてのスループット向上を実現することができる。
【００１７】
前記制御部は、前記開閉センサから出力された前記信号に基づいて前記収容部の開閉を検出した場合、前記収容部内に記録媒体が有ることを示す情報を前記記憶部に記憶させてよい。収容部が開閉された場合は、ユーザが収容部に記録媒体を補充する可能性が高いと推定される。上記構成は、この傾向に鑑みたものであり、収容部が開閉されたにも関わらず記憶部に記録媒体が無いことを示す情報を記憶させたままにする場合に比べ、記憶部の情報の信頼性を高めることができる。
【発明の効果】
【００１８】
本発明によれば、供給動作に要する時間を低減し、スループットを向上させることができる。
【図面の簡単な説明】
【００１９】
【図１】本発明の第１実施形態に係るインクジェットプリンタを示す概略側面図である。
【図２】図１のプリンタに含まれるヘッドを示す部分断面図である。
【図３】図１のプリンタの電気的構成を示すブロック図である。
【図４】図１のプリンタの制御部が実行する記録制御ルーチンを示すフロー図である。
【図５】図１のプリンタの制御部が実行するリトライ回数設定ルーチンを示すフロー図である。
【発明を実施するための形態】
【００２０】
以下、本発明の好適な実施の形態について、図面を参照しつつ説明する。
【００２１】
先ず、図１等を参照し、本発明の第１実施形態に係るインクジェットプリンタ１の全体構成について説明する。
【００２２】
プリンタ１は、図１に示すように、筐体１ａ、インクジェットヘッド１０、プラテン５、用紙センサ６、搬送部２０、収容部３ａ，３ｂ、受容部４、及び制御部１００を含む。ヘッド１０、プラテン５、用紙センサ６、搬送部２０、及び制御部１００は、筐体１ａ内に収容されている。各収容部３ａ，３ｂは、筐体１ａに開閉可能に支持されており、筐体１ａに対して主走査方向に着脱可能である。受容部４は、筐体１ａの天板上部に設けられている。
【００２３】
ヘッド１０は、主走査方向に長尺な略直方体形状を有するラインヘッドである。ヘッド１０は、図２に示すように、流路ユニット１２及びアクチュエータユニット１７を含む。
【００２４】
流路ユニット１２は、４枚のプレート１２ａ〜１２ｄを積層した積層体であり、内部に流路が形成されており、下面に複数の吐出口１４ａが開口している。流路ユニット１２の内部に形成された流路は、１のマニホールド流路１３及び複数の個別流路１４を含む。個別流路１４は、吐出口１４ａ毎に設けられており、マニホールド流路１３の出口から圧力室１６を介して吐出口１４ａまで延在している。マニホールド流路１３は、インクを貯留するタンク（図示略）と連通している。タンクからマニホールド流路１３に供給されたインクが、個別流路１４を通り、吐出口１４ａから吐出される。
【００２５】
アクチュエータユニット１７は、振動板１７ａ、圧電層１７ｂ、及び、複数の個別電極１７ｃを積層した積層体である。振動板１７ａは、流路ユニット１２の上面に固定され、複数の圧力室１６を閉鎖している。圧電層１７ｂは、振動板１７ａの上面に固定され、複数の圧力室１６と対向している。複数の個別電極１７ｃは、圧電層１７ｂの上面に固定され、複数の圧力室１６のそれぞれと対向している。アクチュエータユニット１７における各個別電極１７ｃと各圧力室１６とで挟まれた部分は、圧力室１６毎に個別のユニモルフ型アクチュエータとして機能し、各個別電極１７ｃへの電圧の印加に応じて、独立して変形可能である。アクチュエータが圧力室１６に向かって凸となるように変形することにより、圧力室１６の容積が減少し、圧力室１６内のインクに圧力が付与され、吐出口１４ａからインクが吐出される。このように、複数の個別電極１７ｃに対して選択的に電圧を印加することにより、ヘッド１０は、複数の吐出口１４ａから選択的にインクを吐出することができる。
【００２６】
プラテン５は、図１に示すように、ヘッド１０の下方に配置されている。プラテン５の上面とヘッド１０の下面との間には、それぞれ、記録に適した所定の間隙が形成されている。
【００２７】
搬送部２０は、用紙Ｐを各収容部３ａ，３ｂからヘッド１０とプラテン５との間を経由して受容部４まで搬送するように構成されており、給紙ローラ２１ａ，２１ｂ、ローラ対２２〜２８、及びガイド２９ａ〜２９ｇを含む。
【００２８】
給紙ローラ２１ａ，２１ｂは、それぞれ、収容部３ａ，３ｂ内で最も上方にある用紙Ｐと接触する位置に配置されている。給紙ローラ２１ａ，２１ｂは、それぞれ、制御部１００の制御によって給紙モータ２１ａＭ，２１ｂＭ（図３参照）が駆動されることで回転する。これにより、収容部３ａ，３ｂ内で最も上方にある用紙Ｐが収容部３ａ，３ｂから送り出される。
【００２９】
各ローラ対２２〜２８は、互いに接触する２つのローラを含み、用紙Ｐを当該２つのローラで挟持しつつ搬送するように構成されている。各ローラ対２２〜２８に含まれる２つのローラの一方は、駆動ローラであり、制御部１００の制御によって搬送モータ２０Ｍ（図３参照）が駆動されることで回転する。各ローラ対２２〜２８に含まれる２つのローラの他方は、従動ローラであり、駆動ローラの回転に伴い、駆動ローラと接触しながら駆動ローラと逆の方向に回転する。ローラ対２２〜２８の回転により、給紙ローラ２１ａ，２１ｂによって収容部３ａ，３ｂから送り出された用紙Ｐがヘッド１０の下方を経由して受容部４に向けて搬送される。
【００３０】
ガイド２９ａ〜２９ｇは、それぞれ、用紙Ｐの搬送経路を画定するように構成されており、互いに間隙を介して離隔配置された一対の板を含む。
【００３１】
収容部３ａ，３ｂ及び受容部４は、複数の用紙Ｐをそれぞれ収容及び受容可能であると共に、複数種類のサイズの用紙Ｐをそれぞれ収容及び受容である。
【００３２】
用紙センサ６は、収容部３ａ，３ｂからヘッド１０への用紙Ｐの供給経路（具体的には、搬送部２０による用紙Ｐの搬送経路（図１の太矢印参照）のヘッド１０よりも上流側）において、用紙Ｐの有無を示す信号を出力するように構成されている。用紙センサ６は、当該検知位置に用紙Ｐが有るときにＯＮ信号、用紙Ｐが無いときにＯＦＦ信号を出力する。
【００３３】
プリンタ１には、さらに、それぞれ収容部３ａ，３ｂの開閉を示す信号を出力するように構成された、開閉センサ７ａ，７ｂ（図３参照）が設けられている。各開閉センサ７ａ，７ｂは、収容部３ａ，３ｂが筐体１ａから引き出されているときにＯＮ信号、収容部３ａ，３ｂが筐体１ａに装着されているときにＯＦＦ信号を出力する。
【００３４】
制御部１００は、演算処理装置であるＣＰＵ（Central Processing Unit）１００ａ、ＥＥＰＲＯＭ（Electrically Erasable and Programmable Read Only Memory）１００ｂ、ＲＡＭ（Random Access Memory）１００ｃ、ＡＳＩＣ（Application Specific Integrated Circuit）、Ｉ／Ｆ（Interface）、Ｉ／Ｏ（Input/Output Port）等を含む。ＥＥＰＲＯＭ１００ｂは、ＣＰＵ１００ａが実行するプログラム及びプログラム実行時に必要なデータを書き換え可能に記憶する。ＲＡＭ１００ｃは、プログラム実行時に必要なデータを一時的に記憶する。ＡＳＩＣは、画像データの書き換えや並び替え（例えば、信号処理や画像処理）を行う。Ｉ／Ｆは、外部装置（例えば、プリンタ１に接続されたＰＣ）とのデータ送受信を行う。Ｉ／Ｏは、センサ６，７ａ，７ｂを含む各種センサの検出信号の入力／出力を行う。
【００３５】
プリンタ１は、開閉センサ７ａ，７ｂに電力が供給されることにより収容部３ａ，３ｂの開閉を検出できる検出可能状態と、開閉センサ７ａ，７ｂに電力が供給されないことにより収容部３ａ，３ｂの開閉を検出できない検出不可状態と、を取り得るように構成されている。本実施形態において、検出不可状態は、プリンタ１の電源がＯＦＦの状態である電源ＯＦＦ状態と、通常モードよりも電力消費量が少ない省電力モードの状態である省電力モード状態とを含む。電源ＯＦＦ状態及び省電力モード状態では、制御部１００の各部及びセンサ６，７ａ，７ｂに電力が供給されない。ただし、ＥＥＰＲＯＭ１００ｂは、電力の供給がなくても（即ち、電源ＯＦＦ状態及び省電力モード状態のいずれにおいても）、情報を保持する。本実施形態では、ＥＥＰＲＯＭ１００ｂを本発明の記憶部として用いる。
【００３６】
次いで、図４及び図５を参照し、制御部１００が実行する制御内容について説明する。制御部１００は、プリンタ１の電源がＯＮの間、図４に示す記録制御ルーチンと、図５に示すリトライ回数設定ルーチンとを、並行して実行する。また、リトライ回数設定ルーチンは、収容部３ａ，３ｂ毎に行われる。
【００３７】
記録制御ルーチン（図４参照）において、制御部１００は、先ず、外部装置から記録指令を受信したか否かを判断する（Ｓ１）。記録指令を受信していない場合（Ｓ１：ＮＯ）、制御部１００は、Ｓ１の処理を繰り返す。記録指令を受信した場合（Ｓ１：ＹＥＳ）、制御部１００は、プリンタ１が検出不可状態から検出可能状態に復帰したか否かを判断する（Ｓ２）。
【００３８】
プリンタ１が検出不可状態から復帰した場合（Ｓ２：ＹＥＳ）、制御部１００は、ｎ（リトライ回数の実行値）を「０」に初期化する（Ｓ３）。ｎは、後述のリトライ処理（１の用紙Ｐについて給紙動作が失敗した場合に再度給紙動作を行わせる処理）Ａが行われた回数を意味する。
【００３９】
Ｓ３の後、制御部１００は、給紙動作が行われるよう、給紙モータ２１ａＭ又は給紙モータ２１ｂＭと搬送モータ２０Ｍとを一定時間駆動させる（Ｓ４）。給紙動作は、本発明の給紙動作に相当し、収容部３ａ又は収容部３ｂ内の用紙Ｐをヘッド１０に供給する動作をいう。
【００４０】
なお、収容部３ａ，３ｂはこの順で使用される。即ち、当該ルーチンにおいて最初に行われる給紙動作は、収容部３ａからの給紙動作であり、後述のＳ１３を経由した後、収容部３ｂからの給紙動作が行われる。以下、給紙動作の対象となる収容部を「当該収容部」という。
【００４１】
Ｓ４の後、制御部１００は、用紙センサ６がＯＮ信号を出力したか（即ち、用紙Ｐが当該収容部から送り出されてその先端が用紙センサ６の検知位置に到達したか）否かを判断する（Ｓ５）。用紙センサ６がＯＮ信号を出力した場合（Ｓ５：ＹＥＳ）、制御部１００は、給紙動作が成功したと判断し、当該収容部内に用紙Ｐが有ることを示す情報（用紙有り情報）をＥＥＰＲＯＭ１００ｂに記憶させる（Ｓ６）。
【００４２】
Ｓ６の後、制御部１００は、記録動作が行われるよう、ヘッド１０を駆動させる（Ｓ７）。記録動作は、ヘッド１０の吐出口１４ａから用紙Ｐ上に液体を吐出させる動作をいう。記録が行われた用紙Ｐは、受容部４に受容される。Ｓ７の後、制御部１００は、受信した記録指令を参照し、次の用紙Ｐに対する記録を行うか否かを判断する（Ｓ８）。次の用紙Ｐに対する記録を行わない場合（Ｓ８：ＮＯ）、制御部１００は、当該ルーチンを終了する。次の用紙Ｐに対する記録を行う場合（Ｓ８：ＹＥＳ）、制御部１００は、処理をＳ３に戻す。
【００４３】
用紙センサ６がＯＮ信号を出力しない（Ｓ５：ＮＯ）、制御部１００は、給紙動作（Ｓ４）を開始してから（即ち、給紙モータ２１ａＭ又は給紙モータ２１ｂＭと搬送モータ２０Ｍとの駆動を開始させてから）所定時間が経過したか否かを判断する（Ｓ９）。所定時間が経過していない場合（Ｓ９：ＮＯ）、制御部１００は、処理をＳ５に戻す。所定時間が経過した場合（Ｓ９：ＹＥＳ）、制御部１００は、給紙動作が失敗したと判断し、ｎが、当該収容部についてのＮ（リトライ回数の設定値）未満であるか否かを判断する（Ｓ１０）。Ｎは、リトライ回数設定ルーチン（図５参照）で設定される。
【００４４】
ｎ＜Ｎである場合（Ｓ１０：ＹＥＳ）、制御部１００は、ｎに「１」を加算する（Ｓ１１）。Ｓ１１の後、制御部１００は、処理をＳ４に戻し、再度給紙動作を行わせる。
【００４５】
Ｓ４，Ｓ５，Ｓ９，Ｓ１０，Ｓ１１の一連の処理が、リトライ処理Ａに相当する。
【００４６】
ｎ＜Ｎでない場合（Ｓ１０：ＮＯ）（即ち、リトライ処理Ａを設定されたリトライ回数Ｎ行っても給紙動作が成功しない場合）、制御部１００は、当該収容部内に用紙Ｐが無いことを示す情報（用紙無し情報）と、ｎ＜Ｎでないと判断した時点（即ち、リトライ処理Ａを設定されたリトライ回数Ｎ行っても給紙動作が成功しないと判断した時点）とを、ＥＥＰＲＯＭ１００ｂに記憶させる（Ｓ１２）。
【００４７】
Ｓ１２の後、制御部１００は、次の収容部が有るか否かを判断する（Ｓ１３）。制御部１００は、直近のＳ４で収容部３ａからの給紙動作を行った場合、次の収容部が有る（Ｓ１３：ＹＥＳ）と判断し、処理をＳ３に戻して、収容部３ｂを対象として処理を進める。一方、制御部１００は、直近のＳ５で収容部３ｂからの給紙動作を行った場合、次の収容部が無い（Ｓ１３：ＮＯ）と判断し、プリンタ１の出力手段（ディスプレイ、スピーカ等）により、用紙Ｐの補充を示す報知を行う（Ｓ１４）。Ｓ１４の後、制御部１００は、当該ルーチンを終了する。
【００４８】
また、制御部１００は、プリンタ１が検出不可状態から復帰していない場合（Ｓ２：ＮＯ）（即ち、プリンタ１が検出不可状態を経由していない場合）、当該収容部について用紙無し情報がＥＥＰＲＯＭ１００ｂに記憶されているか否かを判断する（Ｓ１５）。用紙無し情報が記憶されていない場合（Ｓ１５：ＮＯ）、制御部１００は、処理をＳ３に移し、当該収容部からの給紙動作を行わせる。一方、用紙無し情報が記憶されている場合（Ｓ１５：ＹＥＳ）、処理をＳ１３に移す。
【００４９】
リトライ回数設定ルーチン（図５参照）において、制御部１００は、先ず、開閉センサ７ａ，７ｂのうち当該収容部に対応するセンサからの信号に基づいて、当該収容部の開閉を検出したか否かを判断する（Ｓ５１）。当該収容部の開閉を検出した場合（Ｓ５１：ＹＥＳ）、制御部１００は、Ｎを「２（所定回数）」に設定してＥＥＰＲＯＭ１００ｂに記憶させると共に、用紙有り情報をＥＥＰＲＯＭ１００ｂに記憶させる（Ｓ５２）。Ｓ５２の後、制御部１００は、当該ルーチンを終了する。
【００５０】
当該収容部の開閉を検出していない場合（Ｓ５１：ＮＯ）、制御部１００は、プリンタ１が検出不可状態から検出可能状態に復帰したか否かを判断する（Ｓ５３）。プリンタ１が検出不可状態から復帰していない場合（Ｓ５３：ＮＯ）、制御部１００は、Ｎの書き換えは行わずに、当該ルーチンを終了する。
【００５１】
プリンタ１が検出不可状態から復帰した場合（Ｓ５３：ＹＥＳ）、制御部１００は、当該検出不可状態が電源ＯＦＦ状態であるか否かを判断する（Ｓ５４）。当該検出不可状態が電源ＯＦＦ状態である場合（Ｓ５４：ＹＥＳ）、制御部１００は、当該収容部について用紙無し情報がＥＥＰＲＯＭ１００ｂに記憶されているか否かを判断する（Ｓ５５）。
【００５２】
用紙無し情報が記憶されていない場合（Ｓ５５：ＮＯ）、制御部１００は、当該収容部内に用紙Ｐが有ると判断して、処理をＳ５２に移し、Ｎを「２（所定回数）」に設定してＥＥＰＲＯＭ１００ｂに記憶させる。
【００５３】
用紙無し情報が記憶されている場合（Ｓ５５：ＹＥＳ）、制御部１００は、当該収容部内に用紙Ｐが無いと判断して、ＥＥＰＲＯＭ１００ｂに記憶された時点（即ち、当該収容部についてリトライ処理Ａを設定されたリトライ回数Ｎ行っても給紙動作が成功しないと判断した時点）から所定時間が経過したかを判断する（Ｓ５６）。
【００５４】
所定時間が経過した場合（Ｓ５６：ＹＥＳ）、制御部１００は、処理をＳ５２に移し、Ｎを「２（所定回数）」に設定してＥＥＰＲＯＭ１００ｂに記憶させると共に、用紙有り情報をＥＥＰＲＯＭ１００ｂに記憶させる。一方、所定時間が経過していない場合（Ｓ５６：ＮＯ）、制御部１００は、Ｎを「１（所定回数よりも少ない回数）」に設定してＥＥＰＲＯＭ１００ｂに記憶させる（Ｓ５７）。Ｓ５７の後、制御部１００は、当該ルーチンを終了する。
【００５５】
当該検出不可状態が電源ＯＦＦ状態でない場合（Ｓ５４：ＮＯ）（即ち、省電力モード状態である場合）、制御部１００は、当該収容部について用紙無し情報がＥＥＰＲＯＭ１００ｂに記憶されているか否かを判断する（Ｓ５８）。
【００５６】
用紙無し情報が記憶されていない場合（Ｓ５８：ＮＯ）、制御部１００は、当該収容部内に用紙Ｐが有ると判断して、処理をＳ５２に移し、Ｎを「２（所定回数）」に設定してＥＥＰＲＯＭ１００ｂに記憶させる。
【００５７】
用紙無し情報が記憶されている場合（Ｓ５８：ＹＥＳ）、制御部１００は、当該収容部内に用紙Ｐが無いと判断して、ＥＥＰＲＯＭ１００ｂに記憶された時点（即ち、当該収容部についてリトライ処理Ａを設定されたリトライ回数Ｎ行っても給紙動作が成功しないと判断した時点）から所定時間が経過したかを判断する（Ｓ５９）。
【００５８】
所定時間が経過した場合（Ｓ５９：ＹＥＳ）、制御部１００は、処理をＳ５２に移し、Ｎを「２（所定回数）」に設定してＥＥＰＲＯＭ１００ｂに記憶させると共に、用紙有り情報をＥＥＰＲＯＭ１００ｂに記憶させる。一方、所定時間が経過していない場合（Ｓ５９：ＮＯ）、制御部１００は、Ｎを「０（所定回数よりも少ない回数であって、プリンタ１が電源ＯＦＦ状態から復帰した後よりも少ない回数）」に設定してＥＥＰＲＯＭ１００ｂに記憶させる（Ｓ６０）。Ｓ６０の後、制御部１００は、当該ルーチンを終了する。
【００５９】
以上に述べたように、本実施形態によれば、制御部１００は、収容部３ａ，３ｂ内の用紙Ｐの有無を収容部３ａ，３ｂに設けられたセンサからの信号に基づいて判断し、収容部３ａ，３ｂ内に用紙Ｐが有ると判断した後に給紙動作を行う、という処理を行うのではなく、リトライ処理Ａ（１の用紙Ｐについて給紙動作が失敗した場合に再度給紙動作を行わせる処理。図４参照）を設定されたリトライ回数Ｎ行っても給紙動作が成功しない場合（Ｓ１０：ＮＯ）、収容部３ａ，３ｂ内に用紙Ｐが無いことを示す情報をＥＥＰＲＯＭ１００ｂに記憶させ（Ｓ１２）、給紙動作が成功した場合（Ｓ５：ＹＥＳ）、収容部３ａ，３ｂ内に用紙Ｐが有ることを示す情報をＥＥＰＲＯＭ１００ｂに記憶させる（Ｓ６）。これにより、収容部３ａ，３ｂに設けられたセンサからの信号に基づく判断処理に要する時間を省略できるため、スループットを向上させることができる。
【００６０】
また、プリンタ１は、検出可能状態と検出不可状態とを取り得る。検出不可状態では、収容部３ａ，３ｂの開閉を検出することができず、検出不可状態の間に、ユーザが収容部３ａ，３ｂに用紙Ｐを補充することも考えられる。記憶部が揮発性メモリの場合、検出不可状態になると、記憶部に記憶された情報が消去されてしまう。そのため、プリンタ１が検出不可状態から検出可能状態に復帰した場合は、記憶部の情報によらず、リトライ回数Ｎを一律に所定回数（プリンタ１が検出不可状態になる前に設定された回数）に設定することが考えられる。しかしながら、この場合、収容部３ａ，３ｂ内に用紙Ｐが無い可能性が高い場合にも、リトライ処理Ａが所定回数行われることになるため、時間を要し、スループットの低下につながってしまう。そこで、本実施形態では、プリンタ１が検出不可状態から検出可能状態に復帰した場合に（Ｓ５３：ＹＥＳ）、リトライ回数Ｎを一律に「２（所定回数）」に設定するのではなく、ＥＥＰＲＯＭ１００ｂに記憶された情報に基づいて収容部３ａ，３ｂ内の用紙Ｐの有無を判断する処理Ｓ５５，Ｓ５８（第１判断処理）を行い、収容部３ａ，３ｂ内に用紙Ｐが有ると判断した場合は（Ｓ５５：ＮＯ，Ｓ５８：ＮＯ）、リトライ回数Ｎを「２（所定回数）」に設定し（Ｓ５２）、収容部３ａ，３ｂ内に用紙Ｐが無いと判断した場合は（Ｓ５５：ＹＥＳ，Ｓ５８：ＹＥＳ）、リトライ回数Ｎを「１又は０（所定回数よりも少ない回数）」に設定する（Ｓ５７，Ｓ６０）。これにより、給紙動作に要する時間を低減し、スループットを向上させることができる。
【００６１】
ＥＥＰＲＯＭ１００ｂに記憶される、収容部３ａ，３ｂ内の用紙Ｐの有無を示す情報は、用紙センサ６から出力された信号に基づくものである（Ｓ５、Ｓ６等参照）。用紙センサ６は、記録タイミングの制御にも用いることができる。そのため、上記構成によれば、用紙Ｐの有無を検知するためのセンサと、記録タイミングの制御に用いるセンサとを、別々に設ける必要がなく、部品点数を低減することができる。
【００６２】
制御部１００は、給紙動作を開始してから所定時間内に用紙Ｐが有ることを示す信号を用紙センサ６が出力しない場合に（Ｓ５：ＮＯ）、給紙動作が失敗したと判断し、給紙動作を開始してから所定時間内に用紙Ｐが有ることを示す信号を用紙センサ６が出力した場合に（Ｓ５：ＹＥＳ）、給紙動作が成功したと判断する。当該構成によれば、用紙センサ６を用いて給紙動作の失敗及び成功を適切に判断することができる。
【００６３】
制御部１００は、Ｓ５５，Ｓ５８（第１判断処理）において収容部３ａ，３ｂ内に用紙Ｐが無いと判断した場合に（Ｓ５５：ＹＥＳ，Ｓ５８：ＹＥＳ）、ＥＥＰＲＯＭ１００ｂに記憶された時点から所定時間が経過したかを判断する処理Ｓ５６，Ｓ５９（第２判断処理）を行い、所定時間が経過したと判断した場合は（Ｓ５６：ＹＥＳ，Ｓ５９：ＹＥＳ）、リトライ回数Ｎを「２（所定回数）」に設定し（Ｓ５２）、所定時間が経過していないと判断した場合は（Ｓ５６：ＮＯ，Ｓ５９：ＮＯ）、リトライ回数Ｎを「１又は０（所定回数よりも少ない回数）」に設定する（Ｓ５７，Ｓ６０）。時間の経過に伴い、ユーザが収容部３ａ，３ｂに用紙Ｐを補充する可能性が高まる。上記構成は、この傾向に鑑みたものであり、収容部３ａ，３ｂ内に用紙Ｐが有る可能性が高い場合（所定時間が経過した場合）はリトライ回数Ｎを所定回数に設定する一方、収容部３ａ，３ｂ内に用紙Ｐが無い可能性が高い場合（所定時間が経過していない場合）はリトライ回数Ｎを比較的少なく設定することで、スループットの向上と、適切な給紙動作とを、共に実現することができる。
【００６４】
検出不可状態は、プリンタ１の電源がＯＦＦの状態である電源ＯＦＦ状態を含み、記憶部は、不揮発性メモリ（ＥＥＰＲＯＭ１００ｂ）である。記憶部が不揮発性メモリの場合、電源ＯＦＦ状態になっても、記憶部の情報が保持される。したがって、上記構成によれば、プリンタ１が電源ＯＦＦ状態から復帰した場合にも、本発明による効果を確実に得ることができる。
【００６５】
検出不可状態は、通常モードよりも電力消費量が少ない省電力モードの状態である省電力モード状態をさらに含む。制御部１００は、プリンタ１が省電力モード状態から復帰した後に収容部３ａ，３ｂ内に用紙Ｐが無いと判断した場合、プリンタ１が電源ＯＦＦ状態から復帰した後に収容部３ａ，３ｂ内に用紙Ｐが無いと判断した場合よりも、リトライ回数Ｎを少ない回数に設定する（Ｓ５７，Ｓ６０参照）。省電力モード状態は、電源ＯＦＦ状態よりも、短い時間維持されると考えられる。時間が短いと、ユーザが収容部３ａ，３ｂに用紙Ｐを補充する可能性が低い。上記構成は、この傾向に鑑みたものであり、収容部３ａ，３ｂ内に用紙Ｐが無い可能性が高い場合（プリンタ１が省電力モード状態から復帰した場合）に、収容部３ａ，３ｂ内に用紙Ｐが無い可能性が比較的低い場合（プリンタ１が電源ＯＦＦ状態から復帰した場合）よりも、リトライ回数Ｎを少なく設定することで、スループットをより一層向上させることができる。
【００６６】
本実施形態では、２つの収容部３ａ，３ｂがあり、制御部１００は、収容部３ａについて、リトライ処理Ａを設定されたリトライ回数Ｎ行っても給紙動作が成功しない場合に（Ｓ１０：ＮＯ）、収容部３ａ内に用紙Ｐが無いことを示す情報をＥＥＰＲＯＭ１００ｂに記憶させ（Ｓ１２）、その後、収容部３ｂについての給紙動作を行わせる（Ｓ４）。複数の収容部が設けられた構成において、プリンタ１が検出不可状態から復帰した場合に、リトライ回数Ｎを一律に所定回数に設定すると、スループットの低下が顕著である。上記構成によれば、本発明によるスループット向上の効果をより確実に得ることができる。
【００６７】
制御部１００は、プリンタ１が検出不可状態を経由していない場合（Ｓ２：ＮＯ）、ＥＥＰＲＯＭ１００ｂに記憶された情報に基づいて収容部３ａ，３ｂ内に用紙Ｐが無いと判断したときは、給紙動作を行わせずに、収容部３ａ，３ｂに用紙Ｐを補充することを示す信号を出力する出力処理を行う（Ｓ１４）。プリンタ１が検出不可状態を経由していない場合は、記憶部（ＥＥＰＲＯＭ１００ｂ）の情報の信頼性が高い。そこで、用紙Ｐが無いという情報がＥＥＰＲＯＭ１００ｂに記憶されているときは、給紙動作を行わせずに、出力処理を行うことで、給紙動作に要する時間を省略し、全体としてのスループット向上を実現することができる。
【００６８】
制御部１００は、開閉センサ７ａ，７ｂから出力された信号に基づいて収容部３ａ，３ｂの開閉を検出した場合（Ｓ５１：ＹＥＳ）、収容部３ａ，３ｂ内に用紙Ｐが有ることを示す情報をＥＥＰＲＯＭ１００ｂに記憶させる（Ｓ５２）。収容部３ａ，３ｂが開閉された場合は、ユーザが収容部３ａ，３ｂに用紙Ｐを補充する可能性が高いと推定される。上記構成は、この傾向に鑑みたものであり、収容部３ａ，３ｂが開閉されたにも関わらずＥＥＰＲＯＭ１００ｂに用紙Ｐが無いことを示す情報を記憶させたままにする場合に比べ、記憶部（ＥＥＰＲＯＭ１００ｂ）の情報の信頼性を高めることができる。
【００６９】
続いて、本発明の第２実施形態に係るインクジェットプリンタについて説明する。
【００７０】
第２実施形態に係るプリンタは、ＥＥＰＲＯＭ１００ｂではなくＲＡＭ１００ｃを本発明の記憶部として用いた点、及び、検出不可状態が、電源ＯＦＦ状態と、記憶部（ＲＡＭ１００ｃ）への電力供給を維持しつつ通常モードよりも電力消費量が少ない特定省電力モードの状態である特定省電力モード状態とを含む点を除き、第１実施形態に係るプリンタ１と同様の構成を有する。特定省電力モード状態では、制御部１００の各部への電力供給は維持されるが、センサ６，７ａ，７ｂには電力が供給されない。本実施形態において、制御部１００は、第１実施形態の制御内容において「ＥＥＰＲＯＭ１００ｂ」を「ＲＡＭ１００ｃ」に読み替えた制御内容を実行する。
【００７１】
記憶部が揮発性メモリの場合でも、上記のように記憶部（ＲＡＭ１００ｃ）への電力供給が維持される特定省電力モードでは、記憶部の情報が保持される。したがって、第２実施形態によれば、第１実施形態と同様の構成による同様の効果に加え、プリンタ１が特定省電力モード状態から復帰した場合に、本発明による効果を確実に得ることができる。
【００７２】
以上、本発明の好適な実施の形態について説明したが、本発明は上述の実施形態に限られるものではなく、特許請求の範囲に記載した限りにおいて様々な設計変更が可能なものである。
【００７３】
・収容部の数は、１以上の任意の数であってよい。
・収容部は、筐体に開閉可能に支持される限りは、筐体に対して着脱不能であってもよい。また、収容部は、筐体内に収容されることに限定されず、手差しトレイのように筐体の外側に配置されてもよい。
・収容部の筐体に対する開閉動作時の移動方向は、任意である。
・記憶部は、ＥＥＰＲＯＭ及びＲＡＭに限定されず、任意である。
・リトライ回数の所定回数は、２に限定されず、任意の数であってよい。
・制御部は、第２判断処理を行わなくてもよい。例えば、制御部は、第１判断処理において収容部内に記録媒体が無いと判断した場合に、第２判断処理を行わずに、リトライ回数を所定回数よりも少ない回数に設定してよい。
・制御部は、リトライ処理を設定されたリトライ回数行っても供給動作が成功しないと判断した時点を、記憶部に記憶させなくてもよい。
・制御部は、記録装置が電源ＯＦＦ状態から復帰した場合と、記録装置が省電力モード状態から復帰した場合とで、リトライ回数の設定値を互いに異ならせず同じにしてもよい。
・記録部は、インクジェット式に限定されず、レーザー式、サーマル式等であってもよい。
・記録部の数は、任意であり、１つに限定されず、複数であってもよい。
・本発明は、ライン方式に限定されず、シリアル方式にも適用可能である。
・本発明は、プリンタに限定されず、ファクシミリやコピー機等にも適用可能である。
・記録媒体は、用紙に限定されず、記録可能な任意の媒体であってよい。
【符号の説明】
【００７４】
１  インクジェットプリンタ（記録装置）
３ａ，３ｂ  収容部
１ａ  筐体
６  用紙センサ（記録媒体センサ）
７ａ，７ｂ  開閉センサ
１０  インクジェットヘッド（記録部）
２０  搬送部（供給部）
１００  制御部
１００ｂ  ＥＥＰＲＯＭ（記憶部，不揮発性メモリ）
１００ｃ  ＲＡＭ（記憶部，揮発性メモリ）
Ｐ  用紙（記録媒体）
【図１】
2015193471.tif 000003
【図２】
2015193471.tif 000004
【図３】
2015193471.tif 000005
【図４】
2015193471.tif 000006
【図５】
2015193471.tif 000007